【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
１次巻線及び２次巻線を備え、前記２次巻線に発生した電圧に基づいて超音波振動子を駆動するトランスと、
グランドが有する基準電位とは異なる第１の電位で前記基準電位との電位差を生じさせる正電圧電源と、
前記基準電位及び前記第１の電位とは異なる第２の電位で前記基準電位との電位差を生じさせる負電圧電源と、
前記正電圧電源及び前記負電圧電源のうち少なくとも１つと前記１次巻線との接続経路を、前記１次巻線の一端に前記正電圧電源を接続し前記１次巻線の他端に前記負電圧電源を接続する第１の接続経路、前記他端に前記正電圧電源を接続し前記一端に前記負電圧電源を接続する第２の接続経路、又は前記正電圧電源若しくは前記負電圧電源とグランドとを前記１次巻線を介して接続させるグランド接続経路に切り替える切替部と
を有することを特徴とする超音波診断装置。
【請求項２】
前記切替部は、前記接続経路を、前記一端と前記他端とを短絡させる短絡経路に切り替えることが可能に設けられることを特徴とする請求項１に記載の超音波診断装置。
【請求項３】
前記正電圧電源は、前記基準電位より高い前記第１の電位を有することにより前記基準電位との電位差を生じさせ、
前記負電圧電源は、前記基準電位より低い前記第２の電位を有することにより前記基準電位との電位差を生じさせる
ことを特徴とする請求項１に記載の超音波診断装置。
【請求項４】
前記グランド接続経路は、前記正電圧電源、前記一端、前記他端、前記グランドの順に対して電流が順方向となる第１のグランド接続経路、前記正電圧電源、前記他端、前記一端、前記グランドの順に対して電流が順方向となる第２のグランド接続経路、前記グランド、前記一端、前記他端、前記負電圧電源の順に対して電流が順方向となる第３のグランド接続経路、若しくは前記グランド、前記他端、前記一端、前記負電圧電源の順に対して電流が順方向となる第４のグランド接続経路、又はこれらの２つ若しくは３つを含むことを特徴とする請求項１に記載の超音波診断装置。
【請求項５】
前記グランド接続経路は、前記正電圧電源、前記一端、前記他端、前記グランドの順に対して電流が順方向となる第１のグランド接続経路、前記正電圧電源、前記他端、前記一端、前記グランドの順に対して電流が順方向となる第２のグランド接続経路、前記グランド、前記一端、前記他端、前記負電圧電源の順に対して電流が順方向となる第３のグランド接続経路、及び前記グランド、前記他端、前記一端、前記負電圧電源の順に対して電流が順方向となる第４のグランド接続経路を含むことを特徴とする請求項１に記載の超音波診断装置。
【請求項６】
前記切替部は、前記１次巻線の両端のそれぞれと前記正電圧電源との間に設けられたスイッチである正電圧側スイッチと、前記１次巻線の両端のそれぞれと前記負電圧電源との間に設けられたスイッチである負電圧側スイッチと、前記一端又は前記他端と前記グランドとの間に設けられたスイッチであるグランド側スイッチとを有することを特徴とする請求項４又は５に記載の超音波診断装置。
【請求項７】
前記正電圧側スイッチは、オン時に前記正電圧電源側から前記１次巻線側へ電流が順方向となる電界効果トランジスタであり、
前記負電圧側スイッチは、オン時に前記１次巻線側から前記負電圧電源側へ電流が順方向となる電界効果トランジスタであり、
前記グランド側スイッチは、前記第１のグランド接続経路において前記他端と前記グランドとの間に設けられオン時に前記他端側から前記グランド側へ電流が順方向となる電界効果トランジスタ、前記第２のグランド接続経路において前記一端と前記グランドとの間に設けられオン時に前記一端側から前記グランド側へ電流が順方向となる電界効果トランジスタ、前記第３のグランド接続経路において前記グランドと前記一端との間に設けられオン時に前記グランド側から前記一端側へ電流が順方向となる電界効果トランジスタ、及び前記第４のグランド接続経路において前記グランドと前記他端との間に設けられオン時に前記グランド側から前記他端側へ電流が順方向となる電界効果トランジスタを含む
ことを特徴とする請求項６に記載の超音波診断装置。
【請求項８】
前記第１のグランド接続経路の電界効果トランジスタと前記他端との間に設けられ前記他端から前記グランドへの方向を順方向とするダイオード、前記第２のグランド接続経路の電界効果トランジスタと前記一端との間に設けられ前記一端から前記グランドへの方向を順方向とするダイオード、前記第３のグランド接続経路の電界効果トランジスタと前記一端との間に設けられ前記グランドから前記一端への方向を順方向とするダイオード、及び前記第４のグランド接続経路の電界効果トランジスタと前記他端との間に設けられ前記グランドから前記他端への方向を順方向とするダイオードをさらに有することを特徴とする請求項７に記載の超音波診断装置。
【請求項９】
１次巻線及び２次巻線を備え、前記２次巻線に発生した電圧に基づいて超音波振動子を駆動するトランスと、
グランドが有する基準電位とは異なる第１の電位で前記基準電位との電位差を生じさせる正電圧電源と、
前記基準電位及び前記第１の電位とは異なる第２の電位で前記基準電位との電位差を生じさせる負電圧電源と、
前記１次巻線の両端のそれぞれと前記正電圧電源との間に設けられ、前記１次巻線の両端のそれぞれと前記正電圧電源との接続をオン・オフ可能な一対の正電圧側スイッチと、
前記１次巻線の両端のそれぞれと前記負電圧電源との間に設けられ、前記２次巻線の両端のそれぞれと前記第２の電源との接続をオン・オフ可能な一対の負電圧側スイッチと、
前記１次巻線の一端若しくは他端又は両端のそれぞれとグランドとの間に設けられ、前記１次巻線と前記グランドとの接続をオン・オフ可能なグランド側スイッチと
を有することを特徴とする超音波診断装置。
【請求項１０】
前記一対の正電圧側スイッチのそれぞれは、オン時に前記正電圧電源側から前記１次巻線側へ電流が順方向となるように設けられたＰ型ＭＯＳＦＥＴであり、
前記一対の負電圧側スイッチのそれぞれは、オン時に前記１次巻線側から前記負電圧電源側へ電流が順方向となるように設けられたＮ型ＭＯＳＦＥＴであり、
前記グランド側スイッチは、オン時に前記他端側から前記グランド側へ電流が順方向となるように前記他端と前記グランドとの間に設けられたＮ型ＭＯＳＦＥＴ、オン時に前記一端側から前記グランド側へ電流が順方向となるように前記一端と前記グランドとの間に設けられたＮ型ＭＯＳＦＥＴ、オン時に前記グランド側から前記一端側へ電流が順方向となるように前記グランドと前記一端との間に設けられたＰ型ＭＯＳＦＥＴ、若しくはオン時に前記グランド側から前記他端側へ電流が順方向となるように前記グランドと前記他端との間に設けられたＰ型ＭＯＳＦＥＴ、又はこれらの組み合わせを含むことを特徴とする請求項９に記載の超音波診断装置。
【請求項１１】
超音波振動子と、
１次巻線及び２次巻線を備え、前記２次巻線に発生した電圧に基づいて前記超音波振動子を駆動するトランスと、
グランドが有する基準電位とは異なる第１の電位で前記基準電位との電位差を生じさせる正電圧電源と、
前記基準電位及び前記第１の電位とは異なる第２の電位で前記基準電位との電位差を生じさせる負電圧電源と、
前記正電圧電源及び前記負電圧電源のうち少なくとも１つと前記１次巻線との接続経路を、前記１次巻線の一端に前記正電圧電源を接続し前記１次巻線の他端に前記負電圧電源を接続する第１の接続経路、前記他端に前記正電圧電源を接続し前記一端に前記負電圧電源を接続する第２の接続経路、又は前記正電圧電源若しくは前記負電圧電源とグランドとを前記１次巻線を介して接続させるグランド接続経路に切り替える切替部と
を有することを特徴とする超音波プローブ。
【請求項１２】
超音波振動子と、
１次巻線及び２次巻線を備え、前記２次巻線に発生した電圧に基づいて前記超音波振動子を駆動するトランスと、
グランドが有する基準電位とは異なる第１の電位で前記基準電位との電位差を生じさせる正電圧電源と、
前記基準電位及び前記第１の電位とは異なる第２の電位で前記基準電位との電位差を生じさせる負電圧電源と、
前記１次巻線の両端のそれぞれと前記正電圧電源との間に設けられ、前記１次巻線の両端のそれぞれと前記正電圧電源との接続をオン・オフ可能な一対の正電圧側スイッチと、
前記１次巻線の両端のそれぞれと前記負電圧電源との間に設けられ、前記２次巻線の両端のそれぞれと前記負電圧電源との接続をオン・オフ可能な一対の負電圧側スイッチと、
前記１次巻線の一端若しくは他端又は両端のそれぞれとグランドとの間に設けられ、前記１次巻線と前記グランドとの接続をオン・オフ可能なグランド側スイッチと
を有することを特徴とする超音波プローブ。
【手続補正２】
【補正対象書類名】明細書
【補正対象項目名】０００９
【補正方法】変更
【補正の内容】
【０００９】
実施形態の超音波診断装置は、トランスと、正電圧電源と、負電圧電源と、切替部とを有する。トランスは、１次巻線及び２次巻線を備え、２次巻線に発生した電圧に基づいて超音波振動子を駆動する。正電圧電源は、グランドが有する基準電位とは異なる第１の電位で基準電位との電位差を生じさせる。負電圧電源は、基準電位及び第１の電位とは異なる第２の電位で基準電位との電位差を生じさせる。切替部は、正電圧電源及び負電圧電源のうち少なくとも１つと１次巻線との接続経路を、１次巻線の一端に正電圧電源を接続し１次巻線の他端に負電圧電源を接続する第１の接続経路、他端に正電圧電源を接続し一端に負電圧電源を接続する第２の接続経路、又は正電圧電源若しくは負電圧電源とグランドとを１次巻線を介して接続させるグランド接続経路に切り替える。
【手続補正３】
【補正対象書類名】明細書
【補正対象項目名】００１０
【補正方法】変更
【補正の内容】
【００１０】
また、実施形態の超音波プローブは、超音波振動子と、トランスと、正電圧電源と、負電圧電源と、切替部とを有する。トランスは、１次巻線及び２次巻線を備え、２次巻線に発生した電圧に基づいて超音波振動子を駆動する。正電圧電源は、グランドが有する基準電位とは異なる第１の電位で基準電位との電位差を生じさせる。負電圧電源は、基準電位及び第１の電位とは異なる第２の電位で基準電位との電位差を生じさせる。切替部は、正電圧電源及び負電圧電源のうち少なくとも１つと１次巻線との接続経路を、１次巻線の一端に正電圧電源を接続し１次巻線の他端に負電圧電源を接続する第１の接続経路、他端に正電圧電源を接続し一端に負電圧電源を接続する第２の接続経路、又は正電圧電源若しくは負電圧電源とグランドとを１次巻線を介して接続させるグランド接続経路に切り替える。